(57)【要約】【課題】保温材の支持部材の設置及び保温材取り付けに要する時間を短縮できるフィルタ付ベント装置を提供する。【解決手段】フィルタ付ベント装置は、容器及び容器を取り囲む保温材支持体１４を有する。保温材支持体１４は、一体化された下部支持体１４Ａ、中間支持体１４Ｂ及び上部支持体１４Ｃを含む。下部支持体１４Ａでは、容器を取り囲む歩廊２３Ａが、容器の周囲に位置する複数の支持部材２１Ａに取り付けられる。中間支持体１４Ｂでは、容器を取り囲む二つの歩廊２３Ｂが、各支持部材２１Ａの上端に取り付けられ、容器の周囲に位置する複数の支持部材２１Ｂに取り付けられる。上部支持体１４Ｃでは、容器を取り囲む一つの歩廊２３Ｃが、各支持部材２１Ｂの上端に取り付けられ、容器の周囲に位置する複数の支持部材２１Ａに取り付けられる。複数の保温材パネル３２が、容器の周囲に配置されて、支持部材２１Ａ〜２１Ｃに取り付けられる。【選択図】図２
2018004433.tif 000002
【特許請求の範囲】
【請求項１】
内部に、ガス噴出装置及び前記ガス噴出装置よりも上方に配置されたフィルタをそれぞれ設置した容器と、前記容器を取り囲む保温材支持体とを備え、
前記保温材支持体が、前記容器を取り囲んで配置される複数の第１支持部材、前記容器を取り囲んで前記複数の第１支持部材に取り付けられた第１歩廊、前記複数の第１支持部材のそれぞれの上端部に取り付けられ、前記容器を取り囲んで配置される複数の第２支持部材、及び前記容器を取り囲んで前記複数の第２支持部材に取り付けられた第２歩廊を含んでおり、
前記容器を取り囲んで前記保温材支持体に取り付けられた複数の保温材パネルを備えたことを特徴とするフィルタ付ベント装置。
【請求項２】
前記保温材支持体が、モジュール化された、前記複数の第１支持部材及び前記第１歩廊を含む第１支持体、及び前記第１支持体の上端部に取り付けられ、モジュール化された、前記複数の第２支持部材及び前記第２歩廊を含む第２支持体を含んでいる請求項１に記載のフィルタ付ベント装置。
【請求項３】
複数の第１支持部材を、内部に、ガス噴出装置及び前記ガス噴出装置よりも上方に配置されたフィルタをそれぞれ設置して補助建屋内に据え付けられた容器を取り囲んで配置し、そして、前記補助建屋の床に設置し、
前記容器を取り囲む第１歩廊を、前記補助建屋内で、設置された前記複数の第１支持部材に取り付け、
複数の第２支持部材を、前記補助建屋内で前記容器を取り囲んで配置し、そして、前記第１歩廊を利用して前記複数の第１支持部材の上端部に取り付け、
前記容器を取り囲む第２歩廊を、前記第１歩廊を利用して、前記補助建屋内で、前記第１支持部材のそれぞれに取り付けられた、複数の第２支持部材に取り付け、
複数の保温材パネルを、前記容器の周囲に配置し、そして、前記第１歩廊及び前記第２歩廊のそれぞれを利用して、前記複数の第１支持部材及び前記複数の第２支持部材のそれぞれに取り付けることを特徴とするフィルタ付ベント装置周囲への保温材の配置方法。
【請求項４】
間隔を置いてリング状に配置された複数の第１支持部材、及びこれらの第１支持部材に取り付けられたリング状の第１歩廊を有してモジュール化された第１支持体を、補助建屋内に搬入し、
前記搬入された第１支持体を、内部に、ガス噴出装置及び前記ガス噴出装置よりも上方に配置されたフィルタをそれぞれ設置して前記補助建屋内に据え付けられた容器の周囲に前記複数の第１支持部材及び前記第１歩廊が配置されるように、前記補助建屋の床に設置し、
間隔を置いてリング状に配置された複数の第２支持部材、及びこれらの第２支持部材に取り付けられたリング状の第２歩廊を有してモジュール化された第２支持体を、前記補助建屋内に搬入し、
前記搬入された第２支持体を、前記容器の周囲に前記複数の第２支持部材及び前記第２歩廊が配置されるように、前記第１支持体の上に取り付け、
複数の保温材パネルを、前記容器の周囲に配置し、そして、前記第１歩廊及び前記第２歩廊のそれぞれを利用して、前記第１支持体及び前記第２支持体のそれぞれに取り付けることを特徴とするフィルタ付ベント装置周囲への保温材の配置方法。
【発明の詳細な説明】
【技術分野】
【０００１】
本発明は、フィルタ付ベント装置及びその装置周囲への保温材の配置方法に係り、特に、沸騰水型原子力発電プラントに適用するのに好適なフィルタ付ベント装置及びその装置周囲への保温材の配置方法に関する。
【背景技術】
【０００２】
沸騰水型原子力発電プラント（以下、ＢＷＲプラントという）及び加圧水型原子力発電プラント（以下、ＰＷＲプラントという）等の原子力プラントでは、原子炉は、原子炉格納容器に内に配置され、原子炉格納容器によって取り囲まれている。原子炉格納容器は、気密性が高く、放射性物質の外部への拡散を防ぐ役割を担っている。原子炉は、原子炉圧力容器内に、複数の燃料集合体が装荷された炉心を配置している。
【０００３】
原子力プラントにおいて、シビアアクシデントが発生すると、原子炉圧力容器から原子炉格納容器内の空間に、放射性物質を含む蒸気が放出され、原子炉格納容器内の空間の圧力が上昇する。この圧力上昇による原子炉格納容器の損傷を防ぐために、フィルタ付ベント装置が、特開２０１５−４５５１８号公報に記載されたように、原子炉格納容器に接続されている。フィルタ付ベント装置は、原子炉格納容器を収納する原子炉建屋の外部に設置され、内部に水を充填した容器、容器内の水領域に配置された、多数のノズルを有するガス噴出装置、及びその水領域の上方で容器内に設置されたフィルタを備えている。ガス噴出装置に連絡される導入管が、その水領域の上方において容器の外部に達し、原子炉格納容器に接続される。
【０００４】
シビアアクシデントの発生により、原子炉から放射性物質を含む蒸気が原子炉格納容器内の空間に放出されたとき、この蒸気がフィルタ付ベント装置に導かれる。原子炉格納容器内の空間の放出された、放射性物質を含む蒸気（凝縮性ガス）、及び原子炉格納容器内に元々存在した雰囲気ガス（非凝縮性ガス）が、ベントガスとして、上記の導入管を通ってガス噴出装置に導かれる。そして、このベントガスは、ガス噴出装置に設けられた多数のノズルから容器内の水領域に噴射される。ベントガスに含まれた蒸気は水領域内で凝縮され、水に溶解する放射性ヨウ素等の放射性物質も水領域で除去される。除去されなかった放射性物質及び非凝縮性ガスを含むベントガスは、フィルタに達し、ここで、残っている放射性物質が除去される。フィルタを通過したベントガスは、外部の環境に排気される。
【０００５】
プラントの建設においては、組み立てた足場を利用して作業することが良く行われている。特開２００４−１７０３１９号公報も、原子力プラントの主蒸気管室の構築に足場を利用している。組み立てた足場を利用して、主蒸気管室の壁鉄筋及び柱鉄筋、壁用鉄筋架台及び柱用鉄筋架台を設置し、さらに、壁鉄筋及び壁用鉄筋架台の周り及び柱鉄筋及び柱用鉄筋架台の周りのそれぞれに型枠を設置する。コンクリートがそれぞれの型枠内に打設され、このコンクリートが硬化した後、型枠が取り外される。モジュール化された主蒸気室ユニットを構築された壁部及び柱部の上に載せ、足場をさらに積み重ねて、主蒸気室ユニットの壁部及び柱部を構築する。
【先行技術文献】
【特許文献】
【０００６】
【特許文献１】特開２０１５−４５５１８号公報
【特許文献２】特開２００４−１７０３１９号公報
【発明の概要】
【発明が解決しようとする課題】
【０００７】
フィルタ付ベント装置は、原子炉建屋の外部に設置された別の補助建屋内に設置される。フィルタ付ベント装置が補助建屋内に据え付けられた後、フィルタ付ベント装置の周囲に保温材を設置する必要がある。この保温材の設置には、特開２００４−１７０３１９号公報に記載されたように、足場が用いられる。足場は、据え付けられたフィルタ付ベント装置と補助建屋の側壁の内面との間でフィルタ付ベント装置を取り囲んで設置される。
【０００８】
保温材支持部材を、クレーンにより、補助建屋の上方からフィルタ付ベント装置と設置された足場の間に吊り下ろし、補助建屋の床に設置する。複数の保温材支持部材が、フィルタ付ベント装置を取り囲んで設置される。これらの保温材支持部材が設置された後、作業員が、足場を利用して、フィルタ付ベント装置を取り囲むように、金属保温材をそれらの保温材支持部材に取り付ける。金属保温材の取り付けが終了した後、足場は解体されて撤去される。
【０００９】
このように、足場を用いた、保温材支持部材の設置及び保温材の取り付けの作業では、足場の設置作業、及び足場の解体及び撤去作業が必要になり、その作業に要する時間が長くなる。このため、保温材支持部材の設置及び保温材の取り付けの作業に要する時間の短縮が望まれている。
【００１０】
本発明の目的は、保温材の支持部材の設置及び保温材取り付けに要する時間を短縮できるフィルタ付ベント装置及びその装置周囲への保温材の配置方法を提供することにある。
【課題を解決するための手段】
【００１１】
上記した目的を達成する本発明の特徴は、内部に、ガス噴出装置及びこのガス噴出装置よりも上方に配置されたフィルタをそれぞれ設置した容器と、この容器を取り囲む保温材支持体とを備え、
保温材支持体が、容器を取り囲んで配置される複数の第１支持部材、容器を取り囲んで複数の第１支持部材に取り付けられた第１歩廊、複数の第１支持部材のそれぞれの上端部に取り付けられ、容器を取り囲んで配置される複数の第２支持部材、及び容器を取り囲んで複数の第２支持部材に取り付けられた第２歩廊を含んでおり、
容器を取り囲んで保温材支持体に取り付けられた複数の保温材パネルを備えたことにある。
【００１２】
第１支持部材の上端部への第２支持部材の取り付け、及び複数の第２支持部材への第２歩廊の取り付けを、第１歩廊を利用して行うことができ、容器を取り囲んで配置される各保温材パネルの保温材支持体への取付けを第１歩廊及び第２歩廊を利用して行うことができるため、足場の設置作業及び足場の解体作業が不要になり、保温材の支持部材の設置及び保温材取り付けに要する時間を短縮することができる。
【００１３】
上記した目的は、複数の第１支持部材を、内部に、ガス噴出装置及びこのガス噴出装置よりも上方に配置されたフィルタをそれぞれ設置して補助建屋内に据え付けられた容器を取り囲んで配置し、そして、補助建屋の床に設置し、
容器を取り囲む第１歩廊を、補助建屋内で、設置された複数の第１支持部材に取り付け、
複数の第２支持部材を、補助建屋内で容器を取り囲んで配置し、そして、第１歩廊を利用して複数の第１支持部材の上端部に取り付け、
容器を取り囲む第２歩廊を、その第１歩廊を利用して、補助建屋内で第１支持部材のそれぞれに取り付けられた、複数の第２支持部材に取り付け、
複数の保温材パネルを、容器の周囲に配置し、そして、第１歩廊及び第２歩廊のそれぞれを利用して、複数の第１支持部材及び複数の第２支持部材のそれぞれに取り付けるフィルタ付ベント装置周囲への保温材の配置方法によっても達成することができる。
【００１４】
上記した目的は、間隔を置いてリング状に配置された複数の第１支持部材、及びこれらの第１支持部材に取り付けられたリング状の第１歩廊を有してモジュール化された第１支持体を、補助建屋内に搬入し、
搬入された第１支持体を、内部に、ガス噴出装置及びこのガス噴出装置よりも上方に配置されたフィルタをそれぞれ設置して補助建屋内に据え付けられた容器の周囲に複数の第１支持部材及び第１歩廊が配置されるように、補助建屋の床に設置し、
間隔を置いてリング状に配置された複数の第２支持部材、及びこれらの第２支持部材に取り付けられたリング状の第２歩廊を有してモジュール化された第２支持体を、補助建屋内に搬入し、
搬入された第２支持体を、容器の周囲に複数の第２支持部材及び第２歩廊が配置されるように、第１支持体の上に取り付け、
複数の保温材パネルを、容器の周囲に配置し、そして、第１歩廊及び第２歩廊のそれぞれを利用して、第１支持体及び第２支持体のそれぞれに取り付けるフィルタ付ベント装置周囲への保温材の配置方法によっても達成することができる。
【発明の効果】
【００１５】
本発明によれば、保温材の支持部材の設置及び保温材取り付けに要する時間を短縮することができる。
【図面の簡単な説明】
【００１６】
【図１】本発明の好適な一実施例である実施例１のフィルタ付ベント装置を備えた沸騰水型原子力プラントの構成図である。
【図２】図１に示されたフィルタ付ベント装置の周囲に配置された保温材の取付けを完了した保温材支持体の外観図である。
【図３】図１に示されたフィルタ付ベント装置の周囲に配置される保温材支持体の下部支持体の詳細構成図である。
【図４】図１に示されたフィルタ付ベント装置の周囲に配置される保温材支持体の中間支持体の詳細構成図である。
【図５】図１に示されたフィルタ付ベント装置の周囲に配置される保温材支持体の上部支持体の詳細構成図である。
【図６】図１に示されたフィルタ付ベント装置の周囲に配置される保温材支持体の据え付け手順を示す説明図である。
【発明を実施するための形態】
【００１７】
本発明の実施例を以下に説明する。
【実施例１】
【００１８】
本発明の好適な一実施例である実施例１のフィルタ付ベント装置を、図１及び図２を用いて説明する。
【００１９】
本実施例のフィルタ付ベント装置４を備えたＢＷＲプラント１について説明する。ＢＷＲプラント１は、原子炉（図示せず）を取り囲む原子炉格納容器２、及びフィルタ付ベント装置４を備えている。図示されていないが、原子炉は、原子炉圧力容器、及び原子炉圧力容器内に配置されて複数の燃料集合体が装荷された炉心を含んでいる。原子炉格納容器２は、原子炉建屋３内に収納されている。原子炉格納容器２は、気密性が高く、アクシデントにより原子炉から放射性物質が漏えいしたときには、この放射性物質の外部への拡散を防止する。フィルタ付ベント装置４は、接続配管１７によって原子炉格納容器２に接続される。さらに、フィルタ付ベント装置４は、排気管１８によって排気筒１９に接続される。
【００２０】
フィルタ付ベント装置４は、容器５、導入管６、フィルタ１０、保温材支持体１４及びガス噴出装置３３を備える。フィルタ付ベント装置４の容器５は、原子炉建屋３の外部で原子炉建屋３とは別に建てられた補助建屋１６の内部空間１６Ｃに配置され、補助建屋１６の床１６Ｂに形成された基礎台３７（図２参照）上に据え付けられる。２０は地面であり、フィルタ付ベント装置４を収納した補助建屋１６は、地中に設けられる。
【００２１】
水３４が、容器５内に充填され、容器５内の下部に存在する。導入管６は、一端が容器５の中心軸の位置で容器５の底面に取り付けられ、その中心軸に沿って容器５の底面から上方に向かって伸び、水３４の水面よりも上方に達する。導入管６は、その水面よりも上方の或る位置で水平方向に曲げられて容器５の側壁に向って伸び、この側壁を貫通して容器５の外部に達する。このような導入管６は、容器５の外部で接続配管１７に接続される。ガス噴出装置３３が、容器５内で水中に配置され、導入管６の周囲に配置される。ガス噴出装置３３は、特開２０１５−４５５１８号公報に記載されたように、上方に向かってベントガスを噴出する多数のノズル８を有する。これらのノズル８は、導入管６を取り囲む複数の同心円に沿って配置され、各同心円に沿って等間隔に配置されている。ガス噴出装置３３は、内部に、導入管６と各ノズル８を連絡するガス通路７を形成している。
【００２２】
リング状の支持板３５が、水３４の水面及び導入管６よりも上方で容器５内に配置され、容器５の内面に取り付けられる。容器５内を中央通路１１と環状の周辺通路３６に分割する円筒部材９が、支持板３５上に配置されて支持板３５に取り付けられる。環状のフィルタ１０が、容器５内で円筒部材９の上端に取り付けられる。排気管１８は、容器５の側壁に接続され、周辺通路３６に連絡される。
【００２３】
フィルタ付ベント装置４の機能の概略について説明する。ＢＷＲプラント１において、万が一、シビアアクシデントが発生したとき、原子炉から放射性物質を含む蒸気が原子炉格納容器内の空間に放出され、この空間の圧力が上昇する。原子炉格納容器内の空間に放出された、放射性物質を含む蒸気（凝縮性ガス）、及び原子炉格納容器内に元々存在した雰囲気ガス（例えば、窒素ガスである非凝縮性ガス）が、ベントガスとして、接続配管１７及び導入管６を通ってガス噴出装置３３に導かれる。ガス噴出装置３３に導かれるベントガスの温度は、約１８０℃である。導入管６からガス噴出装置３３の内部に形成されたガス通路７に流入したベントガスは、ガス噴出装置３３の多数のノズル８から水３４中に放出される。ベントガスに含まれた蒸気は水３４で凝縮され、水に溶解する放射性ヨウ素等の放射性物質も水３４で除去される。除去されなかった放射性物質及び非凝縮性ガスを含むベントガスは、水３４中から中央通路１１に達して中央通路１１を上昇し、フィルタ１０の内側の領域１２を通ってフィルタ１０に流入する。ここで、残っている放射性物質がフィルタ１０で除去される。
【００２４】
補助建屋１６は、鉄筋コンクリート製であり、ベントガスがフィルタ付ベント装置４内に導入された後にフィルタ付ベント装置４から放出される放射線を遮へいする機能を有する。
【００２５】
放射性物質が除去されたベントガス（実質的には、被凝縮性ガス）は、フィルタ１０から、容器５内でフィルタ１０の周囲に形成された環状の領域１３に放出される。このベントガスは、領域１３から下降して周辺通路３６に流入し、排気管１８に排出される。蒸気及び放射性物質が除去されたベントガスは、排気管１８を通って排気筒１９から外部に排気される。
【００２６】
次に、保温材支持体１４の詳細な構造を、図２〜図５を用いて説明する。保温材支持体１４は、補助建屋１６内に据え付けられたフィルタ付ベント装置４と補助建屋１６の側壁１６Ａの内面の間に配置され、床１６Ｂに形成された基礎台３７上に設置される（図１および図２参照）。保温材支持体１４は、下部支持体１４Ａ（図３参照）、中間支持体１４Ｂ（図４参照）及び上部支持体１４Ｃ（図５参照）を互いに結合して構成される。下部支持体１４Ａ、中間支持体１４Ｂ及び上部支持体１４Ｃのそれぞれは、モジュール化されている。保温材支持体１４において、下部支持体１４Ａは最も下方に配置され、上部支持体１４Ｃが最も上方に配置され、中間支持体１４Ｂは下部支持体１４Ａと上部支持体１４Ｃの間に配置される。
【００２７】
下部支持体１４Ａは、フィルタ付ベント装置４の容器５を取り囲んで配置された複数（例えば、８本）の長尺の支持部材２１Ａ及び歩廊２３Ａを有する。これらの支持部材２１Ａは、容器５の軸方向において上方に向かって伸びており、容器５の周囲に等間隔でリング状に配置される。隣り合う支持部材２１Ａは、円弧状で水平方向に伸びている連結部材２２Ａで連結される。このようにして、容器５の周囲に配置された各支持部材２１Ａは、連結部材２２Ａによって互いに連結される。接続板３０Ａが、各支持部材２１Ａの上端に取り付けられる。歩廊２３Ａが、容器５の周囲を取り囲むように形成され、各支持部材２１Ａに取り付けられる。歩廊２３Ａは、リング状の床板２４Ａ及び手摺２５Ａを含んでいる。床板２４Ａは、各支持部材２１Ａに取り付けられて外側に向かって水平方向に伸びる支持棒３１Ａ上に取り付けられる。手摺２５Ａは、床板２４Ａに取り付けられて床板２４Ａから上方に向かって伸びている。下部支持体１４Ａの各支持部材２１Ａの下端が基礎台３７上に設置される。
【００２８】
中間支持体１４Ｂは、フィルタ付ベント装置４の容器５を取り囲んで配置された複数（例えば、８本）の長尺の支持部材２１Ｂ及び二つの歩廊２３Ｂを有する。これらの支持部材２１Ｂは、容器５の軸方向において上方に向かって伸びており、容器５の周囲に等間隔でリング状に配置される。隣り合う支持部材２１Ｂは、円弧状で水平方向に伸びている連結部材２２Ｂで連結される。このようにして、容器５の周囲に配置された各支持部材２１Ｂは、容器５の軸方向において二箇所の異なる位置で連結部材２２Ｂによって互いに連結される。接続板３０Ｂが各支持部材２１Ｂの下端に取り付けられ、接続板３０Ｃが各支持部材２１Ａの上端に取り付けられる。各支持部材２１Ｂに取り付けられた接続板３０Ｂが、下部支持体１４Ａの各支持部材２１Ａの上端に取り付けられた接続板３０Ａに取り付けられる。
【００２９】
二つの歩廊２３Ｂが、容器５の周囲を取り囲むように形成され、容器５の軸方向において二箇所の異なる位置で各支持部材２１Ｂに取り付けられる。各歩廊２３Ｂは、リング状の床板２４Ｂ及び手摺２５Ｂを含んでいる。一つの歩廊２３Ｂの床板２４Ｂは、各支持部材２１Ｂに取り付けられて外側に向かって水平方向に伸びる支持棒３１Ｂ上に取り付けられる。手摺２５Ｂは、床板２４Ｂに取り付けられて床板２４Ｂから上方に向かって伸びている。他の歩廊２３Ｂの床板２４Ｂは、前述の支持棒３１Ｂよりも上方の位置で各支持部材２１Ｂに取り付けられて外側に向かって水平方向に伸びる他の支持棒３１Ｂ上に取り付けられる。他の歩廊２３Ｂの手摺２５Ｂは、他の歩廊２３Ｂの床板２４Ｂに取り付けられてこの床板２４Ｂから上方に向かって伸びている。
【００３０】
上部支持体１４Ｃは、フィルタ付ベント装置４の容器５を取り囲んで配置された複数（例えば、８本）の長尺の支持部材２１Ｃ、複数（例えば、８本）の長尺の支持部材２１Ｄ及び歩廊２３Ｃを有する。これらの支持部材２１Ｃは、容器５の軸方向において上方に向かって伸びており、容器５の周囲に等間隔でリング状に配置される。隣り合う支持部材２１Ｃは、円弧状で水平方向に伸びている連結部材２２Ｃで連結される。このようにして、容器５の周囲に配置された各支持部材２１Ｃは、容器５の軸方向において二箇所の異なる位置で連結部材２２Ｃによって互いに連結される。接続板３０Ｄが、各支持部材２１Ｃの下端に取り付けられる。接続板３０Ｄが、中間支持体１４Ｂの各支持部材２１Ｂの上端に取り付けられた接続板３０Ｃに取り付けられる。それらの支持部材２１Ｄは、各支持部材２１Ｃの上端に取り付けられ、容器５の中心軸に向かって傾斜して配置される。それらの支持部材２１Ｄも、容器５の周囲に等間隔に配置される。各支持部材２１Ｄは、容器５の軸方向において二箇所の異なる位置で連結部材２２Ｄによって互いに連結される。上部支持体１４Ｃの上端にはカバー部材２６が配置され、カバー部材２６は最も上方に位置する連結部材２２Ｄに取り付けられる。
【００３１】
一つの歩廊２３Ｃが、容器５の周囲を取り囲むように形成され、各支持部材２１Ｃに取り付けられる。歩廊２３Ｃは、リング状の床板２４Ｃ及び手摺２５Ｃを含んでいる。床板２４Ｃは、各支持部材２１Ｃに取り付けられて外側に向かって水平方向に伸びる支持棒３１Ｃ上に取り付けられる。手摺２５Ｃは、床板２４Ｃに取り付けられて床板２４Ｃから上方に向かって伸びている。
【００３２】
下部支持体１４Ａ、中間支持体１４Ｂ及び上部支持体１４Ｃは、接続板３０Ｂを接続板３０Ａに取り付け、さらに、接続板３０Ｄを接続板３０Ｃに取り付けることによって、一体化される。
【００３３】
多数の保温材パネル３２が、支持部材２１Ａ，２１Ｂ，２１Ｃ及び２１Ｄのそれぞれとフィルタ付ベント装置４の容器５との間に配置され、容器５を取り囲んでいる。支持部材２１Ａ，２１Ｂ，２１Ｃ及び２１Ｄのそれぞれに対向している各保温材パネル３２は、対向している支持部材に取り付けられる。支持部材２１Ａ，２１Ｂ，２１Ｃ及び２１Ｄのそれぞれに対向していない各保温材パネル３２のうち最も下方に位置する各保温材パネル３２は、基礎台３７上に配置され、左右が他の保温材パネル３２（少なくとも一つは支持部材に取り付けられた保温材パネル３２）に保持される。支持部材２１Ａ，２１Ｂ，２１Ｃ及び２１Ｄのそれぞれに対向していない各保温材パネル３２のうち最も下方に位置する各保温材パネル３２よりも上方に位置する各保温材パネル３２は、上下左右において隣り合っている他の保温材パネル３２（左右の保温パネル３２のうち少なくとも一つは支持部材に取り付けられた保温材パネル３２）によって保持される。複数の保温材パネル３２は、上部支持体１４Ｃの上端を覆って、上部支持体１４Ｃに取り付けられている。
【００３４】
各保温材パネル３２は、フィルタ付ベント装置４の据え付け後におけるフィルタ付ベント装置４の現地耐圧試験後に保温材支持体１４に設置される。なお、フィルタ付ベント装置４の容器５における供用期間中検査（ＩＳＩ）の対象である溶接線及びノズル管台等の位置に存在する保温材パネル３２は、着脱可能な構造になっている。容器５に接続される配管が位置する部分では、歩廊が着脱可能な構造になっている。また、歩廊２３Ａ，２３Ｂ及び２３Ｃそれぞれの幅、すなわち、支持部材２１Ａと手摺２５Ａの間の幅、支持部材２１Ｂと手摺２５Ｂの間の幅及び支持部材２１Ｃと手摺２５Ｃの間の幅は、作業員が移動できるように、約６０ｃｍある。
【００３５】
本実施例のフィルタ付ベント装置４を対象にした、フィルタ付ベント装置周囲への保温材の配置方法を、図６を用いて以下に説明する。
【００３６】
前述の構造を有する下部支持体１４Ａ、中間支持体１４Ｂ及び上部支持体１４Ｃのそれぞれは、補助建屋１６の外部で製造される。フィルタ付ベント装置４が、走行クレーン２９に吊り下げられた釣り天秤２７にワイヤ２８で吊り下げられて、上方より、補助建屋１６内の空間１６Ｃに搬入される。走行クレーン２９を操作して、空間１６Ｃ内でフィルタ付ベント装置４を下降させ、床１６Ｂに形成された基礎台３７上に載せられる。フィルタ付ベント装置４は、基礎台３７上に設置される。
【００３７】
その後、下部支持体１４Ａが、補助建屋１６の外部で、走行クレーン２９に吊り下げられた釣り天秤２７にワイヤ２８で吊り下げられ、上方に向かって吊り上げられる。下部支持体１４Ａが、補助建屋１６の側壁１６Ａの上端よりも上方に達したとき、走行クレーン２９を操作し、吊り上げられた下部支持体１４Ａが、側壁１６Ａの上端よりも上方において、容器５と側壁１６Ａの内面との間の環状の空間１６Ｃの真上に位置するまで、水平方向に移動される。そして、走行クレーン２９の操作によって、釣り天秤２７を下降させ、下部支持体１４Ａを空間１６Ｃ内で基礎台３７に向かって下降させる（図６（Ａ）参照）。下部支持体１４Ａの各支持部材２１Ａの下端が基礎台３７の上面に接触したとき、下部支持体１４Ａの下降が停止される。各支持部材２１Ａが所定の位置に位置決めされ、各支持部材２１Ａが基礎台３７に設置される（図６（Ｂ）参照）。このとき、歩廊２３Ａが取り付けられた、下部支持体１４Ａの各支持部材２１Ａが、容器を取り囲むように配置される。
【００３８】
中間支持体１４Ｂが、補助建屋１６の外部で、走行クレーン２９に吊り下げられた釣り天秤２７にワイヤ２８で吊り下げられ、上方に向かって吊り上げられる。中間支持体１４Ｂが、側壁１６Ａの上端よりも上方に達したとき、走行クレーン２９を操作し、吊り上げられた中間支持体１４Ｂが、側壁１６Ａの上端よりも上方において、容器５と側壁１６Ａの内面との間の環状の空間１６Ｃの真上に位置するまで、水平方向に移動される。そして、走行クレーン２９の操作によって、釣り天秤２７を下降させ、中間支持体１４Ｂを空間１６Ｃ内で基礎台３７に向かって下降させる（図６（Ｂ）参照）。中間支持体１４Ｂの各支持部材２１Ｂの下端に設けられた接続板３０Ｂが、基礎台３７上に設置された下部支持体１４Ａの各支持部材２１Ａの上端に設けられた接続板３０Ａに接触したとき、中間支持体１４Ｂの下降が停止される。各支持部材２１Ｂが所定の位置に位置決めされ、各支持部材２１Ｂの接続板３０Ｂが、各支持部材２１Ａの接続板３０Ａに別々に取り付けられる（図６（Ｃ）参照）。このように、接続板３０Ｂを接続板３０Ａに取り付けることによって、中間支持体１４Ｂが下部支持体１４Ａに連結される。このとき、歩廊２３Ｂが取り付けられた、中間支持体１４Ｂの各支持部材２１Ｂが、容器５を取り囲むように配置される。
【００３９】
上部支持体１４Ｃが、補助建屋１６の外部で、走行クレーン２９に吊り下げられた釣り天秤２７にワイヤ２８で吊り下げられ、上方に向かって吊り上げられる。上部支持体１４Ｃが、側壁１６Ａの上端よりも上方に達したとき、走行クレーン２９を操作し、吊り上げられた中間支持体１４Ｂが、側壁１６Ａの上端よりも上方において、容器５と側壁１６Ａの内面との間の環状の空間１６Ｃの真上に位置するまで、水平方向に移動される。そして、走行クレーン２９の操作によって、釣り天秤２７を下降させ、上部支持体１４Ｃを空間１６Ｃ内で基礎台３７に向かって下降させる（図６（Ｃ）参照）。上部支持体１４Ｃの各支持部材２１Ｃの下端に設けられた接続板３０Ｄが、下部支持体１４Ａ上に設置された中間支持体１４Ｂの各支持部材２１Ｂの上端に設けられた接続板３０Ｃに接触したとき、上部支持体１４Ｃの下降が停止される。各支持部材２１Ｃが所定の位置に位置決めされ、各支持部材２１Ｃの接続板３０Ｄが、各支持部材２１Ｂの接続板３０Ｃに別々に取り付けられる。このように、接続板３０Ｄを接続板３０Ｃに取り付けることによって、上部支持体１４Ｃが中間支持体１４Ｂに連結される。このとき、歩廊２３Ｃが取り付けられた、上部支持体１４Ｃの各支持部材２１Ｃ及び各支持部材２１Ｄが、容器５を取り囲むように配置される。上部支持体１４Ｃの上端に設けられたカバー部材２６が、容器５の頂部を覆っている。
【００４０】
以上により、保温材支持体１４の設置が終了する。その後、保温材パネル３２の保温材支持体１４の各支持部材への取り付け作業が実施される。各保温材パネル３２は、順次、補助建屋１６の外部で走行レーン２９に吊り下げられて吊り上げられ、補助建屋１６内の空間１６Ｃに搬入されて、下部支持体１４Ａ、中間支持体１４Ｂ及び上部支持体１４Ｃのそれぞれの支持部材２１Ａ，２１Ｂ及び２１Ｃのそれぞれと容器５の外面の間を下降される。各支持部材と容器５の外面の間を下降された各保温材パネル３２は、床１６Ｂ上及び歩廊２３Ａ，２３Ｂ及び２３Ｃのそれぞれの床板上にいる作業員によって、容器５の周囲を取り囲みながら、順次、容器５の周囲で基礎台３７上から上方に向かって配置される。支持部材２１Ａ，２１Ｂ，２１Ｃ及び２１Ｄのそれぞれに対向した各保温材パネル３２は、対向している支持部材に取り付けられる。支持部材２１Ａ，２１Ｂ，２１Ｃ及び２１Ｄのそれぞれに対向していない各保温材パネル３２は、左右に隣り合うそれぞれの他の保温材パネル３２に連結具（図示せず）で結合され、容器５の軸方向で隣り合うそれぞれの他の保温材パネル３２にも連結具（図示せず）で結合される。これらの連結具は、隣り合う保温材パネル３２の周辺部に取り付けられる。各保温材パネル３２の支持部材２１Ａ，２１Ｂ，２１Ｃ及び２１Ｄへの取り付け、及び隣り合う保温材パネル３２の連結具による結合は、床１６Ｂ上及び歩廊２３Ａ，２３Ｂ及び２３Ｃのそれぞれの床板上にいる各作業員によって行われる。作業員の床１６Ｂから歩廊２３Ａの床板２４Ａ上への移動、さらに、歩廊２３Ａから上方の歩廊２３Ｂ及び２３Ｃへの移動は、床１６Ｂと歩廊２３Ａの間に設けられた階段（図示せず）、そして、歩廊間に設けられた階段を利用して行われる。
【００４１】
補助建屋１６内でのフィルタ付ベント装置４の設置、及びフィルタ付ベント装置４の保温材支持体１４への保温材パネル３２の設置が終了した後に、補助建屋１６の天井が側壁１６Ａの上端に設置される。保温材支持体１４に設置された保温材パネル３２は、シビアアクシデント発生時に原子炉格納容器２からフィルタ付ベント装置４に高温のベントガスが導入されたときに、容器５内の高温のベントガスの熱が補助建屋１６に伝わるのを防止する。これにより、シビアアクシデントが発生した場合においても、補助建屋１６の健全性を維持することができる。
【００４２】
本実施例によれば、容器５の周囲を取り囲んで床１６Ｂに設置される保温材支持体１４が、容器５の周囲に配置された複数の支持部材２１（具体的には、支持部材２１Ａ，２１Ｂ及び２１Ｃ）に歩廊２３（具体的には、歩廊２３Ａ，２３Ｂ及び２３Ｃ）を設けているため、歩廊２３を利用して作業員が軸方向に伸びる複数の支持部材２１を互いに連結する（支持部材２１Ａと支持部材２１Ｂの連結及び支持部材２１Ｂと支持部材２１Ｃの連結）ことができ、さらに、歩廊２３を利用して作業員が各保温材パネル３２を保温材支持体１４に設置することができる。
【００４３】
このように本実施例では、歩廊２３Ａ〜２３Ｃを利用して複数の支持部材２１の設置及び複数の保温材パネル３２の保温材支持体１４への設置作業が実施できるため、補助建屋１６内で容器５の周囲への足場の設置作業及び足場の解体作業が不要になり、保温材の支持部材の設置及び保温材取り付けに要する時間を短縮することができる。特に、容器５と補助建屋１６の側壁１６Ａの間の狭い領域における足場の設置作業及び足場の解体作業が不要になることは、作業の時間短縮に著しく貢献する。
【００４４】
さらには、フィルタ付ベント装置４の設置に伴う、補助建屋１６内で実施される付帯作業（導入管６と接続配管１７との接続及び杯期間１８と容器５との接続等の配管の接続作業、配管サポートの設置作業、電気配線の配線作業等）も、歩廊２３Ａ〜２３Ｃを利用して行うことができる。このため、その付帯作業の実施に要する時間を短縮することができる。
【００４５】
作業員がフィルタ付ベント装置４の供用期間中検査を実施する場合にも、歩廊２３Ａ〜２３Ｃを利用することができ、供用期間中検査のために補助建屋１６内で足場の設置作業及び足場の解体作業を行う必要がなくなり、供用期間中検査に要する時間も著しく短縮することができる。
【００４６】
さらに、本実施例では、保温材支持体１４を、例えば、下部支持体１４Ａ、中間支持体１４Ｂ及び上部支持体１４Ｃと三分割して各支持体をモジュール化し、クレーンを用いて下部支持体１４Ａ、中間支持体１４Ｂ及び上部支持体１４Ｃを、順次、容器５と側壁１６Ａの間に搬入するため、補助建屋１６内での保温材支持体１４の設置に要する時間、すなわち、支持部材２１Ａ〜２１Ｄ及び歩廊２３Ａ〜２３Ｃの設置に要する時間をさらに短縮することができる。
【００４７】
本実施例では、保温材支持体１４を、下部支持体１４Ａ、中間支持体１４Ｂ及び上部支持体１４Ｃのモジュール化された三つの支持体で構成しているが、保温材支持体１４を、一つのモジュールの高さは少し高くなるが、下部支持体及び上部支持体の、モジュール化された二つの支持体（支持部材２１及び歩廊２３を含む）で構成してもよい。また、モジュール化された四つの支持体（支持部材２１及び歩廊２３を含む）で保温材支持体１４を構成してもよい。
【実施例２】
【００４８】
本発明の好適な他の実施例である実施例２のフィルタ付ベント装置を以下に説明する。
【００４９】
本実施例のフィルタ付ベント装置４は、実施例１のフィルタ付ベント装置４と同様に、ＢＷＲプラント１に適用され、原子炉格納容器２に接続される接続配管１７に接続され、さらに、杯期間１８に接続される。本実施例のフィルタ付ベント装置４は、実施例１のフィルタ付ベント装置４と実質的に同じ構成を有している。本実施例のフィルタ付ベント装置４の保温材支持体１４は、実施例１のフィルタ付ベント装置４の保温材支持体１４のように下部支持体１４Ａ、中間支持体１４Ｂ及び上部支持体１４Ｃを有していないが、実施例１のフィルタ付ベント装置４の保温材支持体１４を構成する支持部材２１Ａ〜２１Ｄ及び歩廊２３Ａ〜２３Ｃを有している。これは、本実施例で用いられる保温材支持体１４が、走行クレーン２９で搬入された下部支持体１４Ａ、中間支持体１４Ｂ及び上部支持体１４Ｃを補助建屋１６内で組み立てるのではなく、走行クレーン２９で支持部材２１Ａ〜２１Ｄ及び歩廊２３Ａ〜２３Ｃの個々の部材を補助建屋１６内に搬入し、搬入されたこれらの部材を用いて補助建屋１６内で組み立てられるからである。
【００５０】
本実施例のフィルタ付ベント装置４を対象にした、フィルタ付ベント装置周囲への保温材の配置方法を以下に説明する。
【００５１】
実施例１と同様に、フィルタ付ベント装置４が、走行クレーン２９により、補助建屋１６内の空間１６Ｃに搬入され、基礎台３７上に設置される。その後、フィルタ付ベント装置４の容器５を取り囲む保温材支持体１４が、基礎台３７上に設置される。本実施例における保温材支持体１４の設置作業を以下に説明する。
【００５２】
支持棒３１Ａが取り付けられた、複数（例えば、８本）の長尺の支持部材２１Ａが、順次、走行クレーン２９に吊り下げられて補助建屋１６の外部から補助建屋１６内の空間１６Ｃに搬入され、容器５の周囲に配置される。床１６Ｂ上にいる作業員が、各支持部材２１Ａを所定の位置で基礎台３７上に設置する。走行クレーン２９によって搬入された複数本の連結部材２２Ａが、作業員によって各支持部材２１Ａに取り付けられ、各支持部材２１Ａは、連結部材２２Ａによって互いに連結される。次に、周方向に複数に分割された歩廊２３Ａ（床板２４Ａ及び手摺２５Ａを含む）の一つが走行クレーン２９に吊り下げられて搬入され、この歩廊２３Ａの床板２４Ａが少なくとも２本の支持部材２１Ａに設けられた各支持棒３１Ａ上に置かれる。床１６Ｂ上の作業員によって、その床板２４Ａが各支持棒３１Ａに取り付けられる。残りの歩廊２３Ａも、同様に、搬入されて他の支持部材２１Ａの支持棒３１Ａに取り付けられる。全ての歩廊２３Ａの各支持棒３１Ａへの取り付けが終了したとき、各支持部材２１Ａに取り付けられて容器５の周囲を取り囲む歩廊２３Ａが完成する。
【００５３】
支持棒３１Ｂが取り付けられた、複数（例えば、８本）の長尺の支持部材２１Ｂが、支持部材２１Ａと同様に、順次、走行クレーン２９により空間１６Ｃに搬入される。歩廊２３Ａの床板２４Ａ上にいる作業員が、各支持部材２１Ｂの接続板３０Ｂを各支持部材２１Ａの接続板３０Ａに取り付ける。床板２４Ａ上にいる作業員が、搬入された連結部材２２Ｂを各支持部材２１Ｂの下端部に取り付けてこれらの支持部材２１Ｂを互いに連結する。その後、周方向に複数に分割された歩廊２３Ｂ（床板２４Ｂ及び手摺２５Ｂを含む）の一つが走行クレーン２９により搬入されて、この歩廊２３Ｂの床板２４Ｂが少なくとも２本の支持部材２１Ｂに設けられて下方に位置する各支持棒３１Ｂ上に置かれる。床板２４Ａ上の作業員によって、その床板２４Ｂが各支持棒３１Ｂに取り付けられる。残りの歩廊２３Ｂも、同様に、搬入されて他の支持部材２１Ｂに設けられて下方に位置する支持棒３１Ｂに取り付けられる。全ての歩廊２３Ｂの、下方に位置する各支持棒３１Ｂへの取り付けが終了したとき、各支持部材２１Ｂに取り付けられて容器５の周囲を取り囲む一つの歩廊２３Ｂが完成する。この歩廊２３Ｂの上方に位置する他の歩廊２３Ｂも、先に各支持部材２１Ｂに取り付けられた歩廊２３Ｂの床板２４Ｂ上にいる作業員によって、同様に、各支持部材２１Ｂに設けられて上方に位置する支持棒３１Ｂに取り付けられる。このようにして、容器５の周囲を取り囲む二つの歩廊２３Ｂが各支持部材２１Ｂに取り付けられる。なお、各支持部材２１Ｂは、他の複数の連結部材２２Ｂによって、上方の位置でも互いに連結される。
【００５４】
上端に長尺の支持部材２２Ｄが傾斜して取り付けられて支持棒３１Ｃが取り付けられた、複数（例えば、８本）の長尺の支持部材２１Ｃが、支持部材２１Ａと同様に、順次、走行クレーン２９により空間１６Ｃに搬入される。支持部材２１Ｂ設けられた歩廊２３Ｂのうち上方に位置する歩廊２３Ｂの床板２４Ｂ上にいる作業員が、各支持部材２１Ｃの接続板３０Ｄを各支持部材２１Ｂの接続板３０Ｃに取り付ける。接続板３０Ｄを接続板３０Ｃに取り付けたとき、支持部材２２Ｄは、容器５の頂部の上方に位置して容器５の中心軸に向かって傾斜している。前述の上方に位置する歩廊２３Ｂの床板２４Ｂ上にいる作業員が、搬入された連結部材２２Ｃを各支持部材２１Ｃの下端部に取り付けてこれらの支持部材２１Ｃを互いに連結する。その後、周方向に複数に分割された歩廊２３Ｃ（床板２４Ｃ及び手摺２５Ｃを含む）の一つが走行クレーン２９により搬入されて、この歩廊２３Ｃの床板２４Ｃが少なくとも２本の支持部材２１Ｃに設けられた各支持棒３１Ｃ上に置かれる。前述の床板２４Ｂ上の作業員によって、その床板２４Ｃが各支持棒３１Ｃに取り付けられる。残りの歩廊２３Ｃも、同様に、搬入されて他の支持部材２１Ｃに設けられた支持棒３１Ｃに取り付けられる。全ての歩廊２３Ｃの各支持棒３１Ｃへの取り付けが終了したとき、各支持部材２１Ｃに取り付けられて容器５の周囲を取り囲む歩廊２３Ｃが完成する。その後、歩廊２３Ｃの床板２４Ｃ上にいる作業員によって、他の複数の連結部材２２Ｃが各支持部材２１Ｃの上端部に取り付けられ、これらの支持部材２１Ｃの上端部が互いに連結される。そして、複数の連結部材２２Ｄによって各支持部材２２Ｄも互いに連結される。
【００５５】
以上の作業により、容器５の周囲を取り囲む保温材支持体１４の、補助建屋１６内での構築が終了する。
【００５６】
そして、実施例１と同様に、歩廊２３Ａ〜２３Ｃのそれぞれを利用した保温材パネル３２の保温材支持体１４への取り付けが行われる。
【００５７】
本実施例は、実施例１で生じる各効果を得ることができる。しかしながら、本実施例では、下部支持体１４Ａ、中間支持体１４Ｂ及び上部支持体１４Ｃを補助建屋１６内に搬入せず、支持部材２１Ａ〜２１Ｄ及び歩廊２３Ａ〜２３Ｃの個々の部材を補助建屋１６内に搬入しているので、補助建屋１６内での保温材支持体１４の設置に要する時間は実施例１よりも長くなる。本実施例では、形成された歩廊２３Ａを利用して支持部材２１Ｂの支持部材２１Ａ上への設置及び歩廊２３Ｂの設置を行い、形成された歩廊２３Ｂを利用して支持部材２１Ｃの支持部材２１Ｂ上への設置及び歩廊２３Ｃの設置を行っているので、補助建屋１６内での足場の設置作業及び足場の解体作業を行う必要がなく、足場を利用した従来の保温材支持体の補助建屋１６内での構築に比べて保温材の支持部材の設置及び保温材取り付けに要する時間を短縮することができる。
【００５８】
実施例１及び２のそれぞれのフィルタ付ベント装置４及びその装置周囲への保温材の配置方法を、加圧水型原子力プラントに適用してもよい。
【符号の説明】
【００５９】
１…沸騰水型原子力発電プラント、２…原子炉格納容器、４…フィルタ付ベント装置、５…容器、８…ノズル、１０…フィルタ、１４…保温材支持体、１４Ａ…下部支持体、１４Ｂ…中間支持体、１４Ｃ…上部支持体、１６…補助建屋、１８…排気管、２１Ａ，２１Ｂ，２１Ｃ，２１Ｄ…支持部材、２３Ａ，２３Ｂ，２３Ｃ…歩廊、２４Ａ，２４Ｂ，２４Ｃ…床板、３３…ガス噴出装置。
【図１】
2018004433.tif 000003
【図２】
2018004433.tif 000004
【図３】
2018004433.tif 000005
【図４】
2018004433.tif 000006
【図５】
2018004433.tif 000007
【図６】
2018004433.tif 000008